(57)【特許請求の範囲】
【請求項１】
複数層の情報面を有する光ディスクに情報を記録可能な強度で光ビームを集光して照射する照射手段と、
前記情報面からの反射光に基づいて、前記光ビームの焦点と前記情報面の相対変位に応じたフォーカス誤差信号を検出するフォーカス誤差信号検出手段と、
前記フォーカス誤差信号に応じて前記光ビームの焦点を前記情報面に追従させるフォーカス制御手段と、
前記光ビームの強度を制御する光強度制御手段と、
前記光ビームの焦点が追従する情報面が、所望の層から外れて他の層へ移動したことを検出する層移動検出手段とを備え、
前記光強度制御手段は、前記層移動検出手段の出力に応じて、前記光ビームの強度を前記光ディスクに情報を記録できないレベルまで低下させることを特徴とする光ディスク装置。
【請求項２】
層移動検出手段は、光ディスクに記録されたアドレス情報に基づいて、層の移動を検出することを特徴とする請求項１記載の光ディスク装置。
【請求項３】
層移動検出手段は、反射光量に基づいて、層の移動を検出することを特徴とする請求項１記載の光ディスク装置。
【請求項４】
層移動検出手段は、フォーカス誤差信号と閾値との比較結果の経歴に基づいて、層の移動を検出することを特徴とする請求項１記載の光ディスク装置。
【発明の詳細な説明】
【０００１】
【発明の属する技術分野】
本発明は、複数層の情報面を有する光ディスクに情報を記録する光ディスク装置に関するものである。
【０００２】
【従来の技術】
近年、光ディスクの高密度化を目指した技術開発が活発に行われている。高密度化のためには情報面を多層化する事が極めて有効であり、既にＤＶＤ（Digital Versatile Disc）等において２層の再生専用ディスクが規格化されている。更に最近では、記録可能な２層ディスクも開発されており、光ディスクの記録容量を大幅に向上する技術として注目されている。
【０００３】
以下に、かかる技術を用いた光ディスク装置について図面を用いて説明する。
【０００４】
図７は従来の技術を用いた光ディスク装置の概略構成を示すブロック図である。図７において、１は複数層（ここでは説明を容易にするため２層とする）の情報面に信号を記録可能な光ディスク、２は光ディスク１を回転させるモータ、３は半導体レーザーとレンズなどの光学系により光ビームを光ディスク１の情報面上に集光し、その反射光を受光素子によって検出する光ピックアップ、４は光ピックアップ３が出力する光強度モニタ信号を入力し、予め設定された値と比較して光ピックアップ３の半導体レーザーを駆動することにより、光ビームの強度を制御する光強度制御手段、５は光ビームの焦点を光ディスク１の情報面と概略垂直方向に変位させるフォーカスアクチュエータ、６は光ビームの焦点を光ディスク１の半径方向に変位させるトラッキングアクチュエータ、７は光ピックアップ３の出力に応じて、光ビームの焦点と光ディスク１の情報面との相対変位を検出し、フォーカス誤差信号を出力するフォーカス誤差信号検出手段、８はフォーカス誤差信号に対して位相補償や低域補償等のフィルタ処理を行うフォーカス制御手段、９はフォーカス制御手段の出力に応じてフォーカスアクチュエータ５を駆動する駆動手段、１０は光ピックアップ３の出力に応じて、光ビームの焦点と光ディスク１の情報面上のトラックとの相対変位を検出して、トラッキング誤差信号を出力するトラッキング誤差信号検出手段、１１はトラッキング誤差信号に対して位相補償や低域補償等のフィルタ処理を行い、光ビームの焦点を光ディスク１の情報トラックに追従させるためのトラッキング制御手段、１２はトラッキング制御手段の出力に応じてトラッキングアクチュエータ６を駆動する駆動手段、１３はフォーカス誤差信号を入力して、光ビームの焦点を現在追従している情報面から他の層の情報面に移動させるための層移動制御手段、１４はフォーカス制御手段８の出力と層移動制御手段１３の出力を選択して出力する選択手段、１５はトラッキング誤差信号を監視することにより、光強度制御手段４に対して光強度低下指令信号を出力するトラッキング監視手段である。
【０００５】
以上のように構成された従来の技術による光ディスク装置の動作について、以下図８、９、１０、１１を用いて説明する。
【０００６】
図８は、光ディスク１の情報面上のトラック構造（Ａ）とトラッキング誤差信号（Ｂ）の関係を示す模式図であり、ａは情報面上に照射された光ビームの焦点を示している。
【０００７】
図９は、トラッキング制御が外乱振動などにより外れた瞬間のトラッキング誤差信号（Ａ）と光強度低下指令信号（Ｂ）を示す波形図であり、Ｔ１はトラッキング制御が正常にかかっている期間、Ｔ２はトラッキング制御が外れている期間、th3はトラッキング誤差信号（Ａ）と比較する所定の比較値を示す。光強度低下指令信号（Ｂ）は「ロー（Low）」で光強度を低下させる方向とする。
【０００８】
図１０は、２層の情報面を有する光ディスクの断面構造と、それに対する光ビームの焦点位置及びフォーカス誤差信号との関係を示す模式図であり、ａは第１の情報面、ｂは第２の情報面、ｄは第１の情報面ａと第２の情報面ｂの間の距離を示し、同図（Ａ）は光ビームの焦点が第１の情報面ａに追従している場合、（Ｂ）は光ビームの焦点が第２の情報面ｂに追従している場合の、光ビーム及びそれを集光するための対物レンズの様子を示している。また、（Ｃ）は光ビームの焦点が第１及び第２の情報面を通過した場合のフォーカス誤差信号を示し、ｅは第１の情報面ａを通過する場合のＳ字波形、ｆは第２の情報面ｂを通過する場合のＳ字波形を示す。第２の情報面ｂは、第１の情報面ａを記録／再生する場合に光ビームをある程度透過させる必要があるため、第１の情報面ａに比べて反射率を低くするのが通常であり、そのため第２の情報面ｂを通過する場合のＳ字波形ｆの振幅はｅに比べて若干小さくなる。
【０００９】
図１１は、光ビームの焦点を現在追従している第１の情報面（図１０のａ）から第２の情報面（図１０のｂ）に移動させる場合の、フォーカス誤差信号（Ａ）とフォーカス駆動信号（Ｂ）の波形を示す波形図であり、th4はフォーカス誤差信号（Ａ）と比較する所定の比較値、ａはフォーカス駆動信号（Ｂ）における加速パルス、ｂはフォーカス駆動信号（Ｂ）における減速パルスを示し、Ｔ１は第１の情報面（図１０のａ）に追従している期間、Ｔ３は第２の情報面（図１０のｂ）に追従している期間、Ｔ２は第１の情報面から第２の情報面に移動している期間を示す。
【００１０】
ディスク１の情報面に信号を記録する場合、まずフォーカス制御系によって光ビームの焦点を光ディスク１の情報面上に追従させる。これは、フォーカス誤差信号検出手段７により光ビームの焦点と光ディスク１の情報面の相対変位を検出し、これに対してフォーカス制御手段８で位相補償や低域補償などのフィルタ処理を行い、その出力を選択手段１４で選択し、駆動手段９によってフォーカスアクチュエータ５を駆動することにより実現される。次にトラッキング制御系によって光ビームの焦点を光ディスク１の情報面上のトラックに追従させる。これは、トラッキング誤差信号検出手段１０により光ビームの焦点と光ディスク１の情報面上のトラックとの相対変位を検出し、これに対してトラッキング制御手段１１で位相補償や低域補償などのフィルタ処理を行い、駆動手段１２でトラッキングアクチュエータ６を駆動することにより実現される。更に、光強度制御手段４は、光ピックアップ３から光強度モニタ信号を入力し、これを予め設定された値と比較して光ピックアップ３の半導体レーザーを駆動する事により、光ディスク１の情報面に信号を記録するのに必要な光ビーム強度に制御する。
【００１１】
一般に、光ディスクへの信号の記録再生においては、比較的弱い光強度で再生を行い、それよりも充分に強い光強度で記録を行う。光ディスクへの記録の原理は、フェーズチェンジ（以下ＰＣと略す）記録、光磁気（以下ＭＯと略す）記録、色素記録などさまざまな手法があるが、何れの場合も、記録時は再生時より光強度を上げ、記録する領域の記録膜の温度を上昇させる必要がある。実際に情報信号を記録するためには、ＰＣ記録では記録信号に合わせて光強度を変調し、ＭＯ記録では記録信号に合わせて光強度を変調する（光変調方式）或いは印加磁界を変調する（磁界変調方式）必要があるが、このような記録信号による変調処理は本発明の趣旨と直接関係がないため、図及び詳細な説明を省略する。
【００１２】
記録動作中に外乱振動やディスクの物理的な欠陥（情報面や保護層表面の欠陥、キズ、ゴミの付着等）の影響でトラッキング制御が外れ、光ビームの焦点が本来記録すべきトラックを外れると、既に記録済みの領域の記録膜の温度が上昇し、データを誤記録或いは誤消去してしまう恐れがあり、システムとして重大な問題となる可能性がある。そのため従来の光ディスク装置では、記録動作中にトラッキング制御の追従誤差を常時監視し、追従誤差が所定値を越えた場合、光強度を、光ディスクに記録できない強度（通常は、再生する場合の光強度）まで低下させている。これについて、以下図８及び図９を用いて説明する。
【００１３】
図８に示すように、光ビームの焦点ａとトラックの相対位置関係に基づき、（Ｂ）に示すようなＳ字状のトラッキング誤差信号が得られる。光ビームの焦点ａがトラックに正確に追従していれば、トラッキング誤差信号のレベルはほぼ「０」である。図９の期間Ｔ１がこれに相当する。外乱振動などの影響によりトラッキング制御が外れると、図９の期間Ｔ２に示すように、トラッキング誤差信号が増加し、トラックを横断する毎にＳ字状の信号が繰り返し発生する。ここでトラッキング監視手段１５において、トラッキング誤差信号を所定値th3（図９）と比較し、th3を越えた場合はトラッキング制御が外れた（或いは、トラッキング追従誤差が増加したので外れる危険性がある）と判断し、光強度低下指令信号（図９の（Ｂ））を「ロー」とし、これにより、光強度制御手段４は光ビームの強度を再生用のレベルまで低下させる。なお、図９では、光強度低下指令信号（Ｂ）が「ロー」となって光ビームの強度が低下した後も、トラッキング誤差信号（Ａ）のレベルが低下していない。これは、光強度を再生用の強度まで低下させると同時に、光ピックアップから検出する信号に対するゲインを、光強度の変化分に相当するだけ上げているからである。これは通常の処理であるから、あえてここでは図示していない。
【００１４】
以上の動作により、光ビームの焦点が目標トラックから外れる前に、光ビームの強度を再生用の強度まで低下させ、外乱振動やディスク上の物理的な欠陥でトラッキング制御が外れた場合にも、隣接する他のトラックに誤ってデータを記録したり、誤ってデータを消去することを防止している。
【００１５】
【発明が解決しようとする課題】
しかしながら上記の従来の構成では、複数層の情報面を有する光ディスクに信号を記録する場合に、外乱振動やディスクの物理的欠陥によってフォーカス制御が乱れた場合、現在記録している情報面と異なる他の層の情報面に対して誤記録或いは誤消去する恐れがあり、また複数層にまたがって記録する場合、記録中に光ビームが追従する層を他の層へ移動させると、本来記録すべきでない領域に対して誤記録或いは誤消去する恐れがあるという課題を有していた。これについて、以下図１０、図１１を用いて説明する。
【００１６】
第１の情報面に信号を記録する場合、図１０（Ａ）に示すように、光ビームの焦点は第１の情報面（図１０のａ）に追従している。この時、光ビームは第２の情報面（図１０のｂ）にも照射されているが、第１の情報面ａと第２の情報面ｂは距離ｄだけ離れているため、第２の情報面ｂ上では光ビームが充分に集光されておらず、単位面積当たりの光量が少ないため、第２の情報面ｂは記録に必要な温度まで上昇せず、誤記録或いは誤消去されることは無い。同様に、図１０（Ｂ）に示すように光ビームの焦点が第２の情報面ｂに追従している場合、第１の情報面ａ上では光ビームが充分に集光されないため、第１の記録面ａが誤記録或いは誤消去されることは無い。しかしここで、第１の情報面ａに信号を記録している場合（図１０（Ａ））に、外乱振動やディスクの物理的欠陥によりフォーカス制御が乱されると、光ビームの焦点が第２の情報面ｂに近づき、図１０（Ｂ）に示す状態になる可能性がある。この場合、本来記録するべきでない第２の情報面ｂが誤記録或いは誤消去されてしまう。また図１０（Ｂ）の状態まで至らなくても、図１０（Ａ）の状態から（Ｂ）の状態に若干近づいただけでも、第２の情報面ｂ上の光ビームのスポット系が小さくなり、単位面積当たりの光量が増加して温度が上昇するため、第２の情報面ｂの記録データが誤記録、誤消去、或いは何らかのダメージを受ける恐れがある。これらの動作は、第２の情報面ｂに記録している場合についても同様であり、その場合、フォーカス制御が乱れることにより第１の情報面ａへの誤記録或いは誤消去の恐れがある。
【００１７】
また２層にわたって信号を記録する場合は、記録動作中に光ビームの焦点が追従する情報面の層を他の層に移動させる必要がある。層を移動させる方法は従来いろいろな方法が提案されており、その一例を図１１に示す。期間Ｔ１では第１の情報面（図１０のａ）に光ビームの焦点が追従している。この時フォーカス誤差信号（図１１（Ａ））は、ほぼ「０」レベル付近となる。ここで光ビームの焦点を第２の情報面（図１０のｂ）へ移動させるため、選択手段１４で層移動制御手段１３の出力を選択する。これによりフォーカス制御ループを開き、フォーカス駆動信号（図１１（Ｂ））に加速パルス（図１１のａ）を印加し、駆動手段１２によりフォーカスアクチュエータ５を駆動する。これにより光ビームの焦点がディスク１の情報面と垂直方向に移動し、第２の情報面（図１０のｂ）に接近する。光ビームの焦点が第２の情報面（図１０のｂ）の近傍にくると、Ｓ字状のフォーカス誤差信号が発生するので、フォーカス誤差信号を所定の比較値th4（図１１）と比較し、フォーカス駆動信号（図１１（Ｂ））に減速パルス（図１１のｂ）を印加して光ビームの焦点の移動速度を低下させ、選択手段１４でフォーカス制御手段８の出力を選択してフォーカス制御ループを閉じる。以上の動作により、光ビームが追従する情報面は第１の情報面（図１０のａ）から第２の情報面（図１０のｂ）に移動する。
【００１８】
上記の動作においては、フォーカス制御ループを一旦開くため、少なくともその間トラッキング制御ループも開く。即ち第２の情報面へ移動した後に、トラッキング制御を目標トラックに引き込んで光ビームを目標トラックに追従させるのであり、第２の情報面へ移動した直後は、光ビームは目標とするトラックには追従しておらず、この間に本来記録すべきでは無い領域のトラックに対して誤記録或いは誤消去する恐れがある。
【００１９】
本発明は上記従来の問題点を解決するもので、複数層の情報面を有する光ディスクに信号を記録する場合に、フォーカス誤差信号を監視するか、反射光量を監視するか、光ビームの焦点が追従する情報面が他の層へ移動した事を検出する事により、光ビームの強度を低下させるか、或いは記録動作中に光ビームを追従する情報面を他の層の情報面に移動させる場合に、一旦光ビーム強度を低下させてから層を移動し、再び光ビーム強度を上げる事により、外乱振動やディスクの物理的欠陥等によって記録動作中にフォーカス制御が乱れた場合や、複数の層にわたって信号を記録する場合でも、本来記録すべきでないディスクの領域に対する誤記録や誤消去を防ぐ事を目的とする。
【００２０】
【課題を解決するための手段】
この目的を達成するために、本発明の光ディスク装置は、複数層の情報面を有する光ディスクに情報を記録可能な強度の光ビームを集光して照射する照射手段と、前記情報面からの反射光に基づいて、前記光ビームの焦点と前記情報面の相対変位に応じたフォーカス誤差信号を検出するフォーカス誤差信号検出手段と、
前記フォーカス誤差信号に応じて前記光ビームの焦点を前記情報面に追従させるフォーカス制御手段と、前記光ビームの強度を制御する光強度制御手段と、前記光ビームの焦点が追従する情報面が、所望の層から外れて他の層へ移動したことを検出する層移動検出手段とを備え、前記光強度制御手段は、前記層移動検出手段の出力に応じて、前記光ビームの強度を前記光ディスクに情報を記録できないレベルまで低下させるものである。
【００２１】
【発明の実施の形態】
以下、本発明の実施の形態について、図面を用いて説明する。
【００２２】
（実施の形態１）
図１は、本発明の実施の形態１による光ディスク装置の概略構成を示すブロック図である。図１において、符号１〜１２及び１５のブロックは従来の技術を用いた光ディスク装置の説明で用いた図７と同様であるので説明を省略する。１６は、フォーカス誤差検出手段７が出力するフォーカス誤差信号を入力してその振幅の増加を監視し、所定の比較値より大きくなったら、光強度制御手段４に対して光強度低下指令信号を出力するフォーカス監視手段である。
【００２３】
以上のように構成された本発明の実施の形態１について、以下、図５を用いてその動作を説明する。
【００２４】
図５は本発明の実施の形態１において、記録動作中に外乱振動やディスクの物理的欠陥によってフォーカス制御が外れた場合の、フォーカス誤差信号（Ａ）と光強度低下指令（Ｂ）を示す波形図である。光強度低下指令（Ｂ）は、ローレベルで光強度を低下させる極性とする。th1はフォーカス監視手段１６におけるフォーカス誤差信号との所定の比較値、ａはフォーカス制御が第１の情報面（図１０のａ）から外れる時のフォーカス誤差信号波形、ｂは光ビームの焦点が第２情報面（図１０のｂ）を通過する時のフォーカス誤差信号波形を示す。
【００２５】
フォーカス制御によって第１の情報面（図１０のａ）に光ビームの焦点を追従させて、信号を記録しているものとする。この場合のフォーカス制御、トラッキング制御、光ビームの強度制御の動作は従来例と同様であるので、詳細な説明は省略する。光ビームの強度は、光ディスク１の情報面に信号を記録可能な強度に制御されている。
【００２６】
ここで、外乱振動やディスクの物理的な欠陥によってフォーカス制御が乱れ、光ビームの焦点が第１の情報面（図１０のａ）から外れたとすると、フォーカス誤差信号は図５（Ａ）のａのように徐々に振幅が増加し、Ｓ字信号のピークを超えると再び徐々に低下する。次に光ビームの焦点が第２の情報面（図１０のｂ）を通過する場合には、図５（Ａ）のｂのようなＳ字信号が現れる。ここでディスクに照射する光ビームの強度を記録用のままにしておくと、光ビームの焦点が第２の情報面に近づいた付近（図５（Ａ）のｂ）で、第２の情報面に対して誤記録或いは誤消去が発生する。そこで、フォーカス監視手段１６においてフォーカス誤差信号を所定の比較値th1と比較し、フォーカス誤差信号の振幅がth1を越えた事を検出する。ここでフォーカス監視手段１６では、フォーカス誤差信号を直接th1と比較しても良いが、フォーカス誤差信号に対して平均化やスムーシング等の処理を行ってからth1と比較しても良い。また所定の比較値を複数設け、それらとフォーカス誤差信号との比較結果の履歴によって判断しても良い。要するにフォーカス誤差信号が何らかの増加を示した事を検出すれば良い。
【００２７】
フォーカス監視手段１６は、フォーカス誤差信号が増加したと判断すると、光強度制御手段４に対して光強度低下指令信号（図５（Ｂ））をローレベルとし、光強度制御手段４は即時に光強度を再生用の強度まで低下させる。これにより、第２の情報面に対する影響が、正常な状態で第１の情報面に記録している状態から少しでも変化したら即時に記録動作を中断し、他の層の情報面に対する誤記録や誤消去を未然に防止することができる。これは第２の情報面に記録している場合も同様である。
【００２８】
以上のように本発明の実施の形態１による光ディスク装置によれば、２層の情報面を有する光ディスクに信号を記録する場合に、外乱振動やディスクの物理的な欠陥などによるフォーカス制御の乱れをフォーカス誤差信号の振幅によって検出し、光強度を直ちに再生用レベルまで低下させる事により、他の層の情報面に対する誤記録あるいは誤消去を防止する事ができる。
【００２９】
（実施の形態２）
次に本発明の実施の形態２による光ディスク装置について説明する。
【００３０】
図２は、本発明の実施の形態２による光ディスク装置の概略構成を示すブロック図である。
【００３１】
図２において、符号１〜１２及び１５のブロックは従来の技術を用いた光ディスク装置の説明で用いた図７と同様であるので説明を省略する。１７は、光ディスク１からの反射光量を検出してその振幅の低下を監視し、所定の比較値より小さくなったら、光強度制御手段４に対して光強度低下指令信号を出力する反射光量監視手段である。
【００３２】
以上のように構成された本発明の実施の形態２について、以下、図６を用いてその動作を説明する。
【００３３】
図６は本発明の実施の形態２において、光ビームの焦点が第１の情報面（図１０のａ）に追従して信号を記録している時に、外乱振動やディスクの物理的欠陥によってフォーカス制御が外れた場合の、反射光量信号（Ａ）と光強度低下指令信号（Ｂ）を示す波形図である。光強度低下指令信号（Ｂ）はローレベルで光強度を低下させる方向とする。th2は反射光量監視手段１７における反射光量信号との所定の比較値を示す。
【００３４】
フォーカス制御によって第１の情報面（図１０のａ）に光ビームの焦点を追従させて信号を記録する。この場合のフォーカス制御、トラッキング制御、光ビームの強度制御の動作は従来例と同様であるので、詳細な説明は省略する。光ビームの強度は、光ディスク１の情報面に信号を記録可能な強度に制御されている。
【００３５】
ここで、外乱振動やディスクの物理的な欠陥によってフォーカス制御が乱され、光ビームの焦点が第１の情報面（図１０のａ）から外れたとする。通常は実施の形態１で説明したようにフォーカス誤差信号の振幅が増加する（図５（Ａ））ので、これによって検出することが可能である。しかしフォーカス誤差信号は、従来例による光ディスク装置の説明で用いた図１０（Ｃ）のｅ及びｆに示すように、光ビームの焦点が各情報面のごく近傍（例えば１０μｍ程度）にある時にしか得られないため、図５（Ａ）のａに示す一瞬のＳ字波形を見逃すと、その後は検出することができない。そのため実施の形態２においては、反射光量監視手段１７によって光ディスク１からの反射光量を検出し、その振幅が所定の比較値th2より低下したと判断すると、光強度制御手段４に対して光強度低下指令信号（図６（Ｂ））をローレベルとし、光強度制御手段４で、即時に光強度を再生用の強度まで低下させる。反射光量は、図６に示すように、光ビームの焦点が第１或いは第２の情報面のごく近傍にある時以外は常に低レベルとなるため、フォーカス誤差信号のように一瞬の見逃しが問題になることが無く、より確実にフォーカスサーボ外れを検出することができる。但し光ビームの焦点ずれに対する検出感度は、フォーカス誤差信号より反射光量の変化の方がなだらかであるため、即応性に関してはフォーカス誤差信号で検出するほうが優れている。そのため理想的には、フォーカス誤差信号による検出と反射光量による検出を併用することが望ましい。
【００３６】
以上のように本発明の実施の形態２による光ディスク装置によれば、２層の情報面を有する光ディスクに信号を記録する場合に、外乱振動やディスクの物理的な欠陥などによりフォーカス制御が乱れ、かつこれがフォーカス誤差信号では検出できない場合でも、反射光量の低下によって確実にこれを検出し、光強度を再生用のレベルまで低下させる事により、他の層の情報面に対する誤記録あるいは誤消去を防止する事ができる。
【００３７】
（実施の形態３）
次に本発明の実施の形態３による光ディスク装置について説明する。
【００３８】
図３は、本発明の実施の形態３による光ディスク装置の概略構成を示すブロック図である。
【００３９】
図３において、符号１〜１２及び１５のブロックは従来の技術を用いた光ディスク装置の説明で用いた図７と同様であるので説明を省略する。１８は、光ディスク１からの反射光に基づいてディスク上に記録されたアドレス情報を検出するアドレス検出手段、１９は、アドレス情報に基づいて、光ビームが追従する情報面が他の層へ移動した事を検出し、光強度制御手段４に対して光強度低下指令信号を出力する層移動検出手段である。
【００４０】
以上のように構成された本発明の実施の形態３について、以下その動作を説明する。
【００４１】
フォーカス制御によって第１の情報面（図１０のａ）に光ビームの焦点を追従させて信号を記録している時に、外乱振動やディスクの物理的な欠陥によってフォーカス制御が乱された場合、実施の形態１ではフォーカス誤差信号、実施の形態２では反射光量を監視して検出した。通常はこれで充分に検出が可能であるが、フォーカス制御が乱れて光ビームの焦点が第１の情報面から外れた後、比較的短時間の間に、第２の情報面にフォーカス制御が引き込む場合があり得る。この場合一時的にフォーカス制御が乱れるが、結果的に再びフォーカス制御は正常な状態に戻るため、フォーカス誤差信号や反射光量の監視で一時的なフォーカス制御の乱れを見逃した場合、他の層の情報面に誤って記録しつづけることになり、システムとして重大な問題を生ずる。これを防止するため、光ビームの焦点が追従している情報面が、本来記録すべき層の情報面から移動した事を検出し、これに基づいて光強度を再生用の強度まで低下させる。
【００４２】
層移動の具体的な検出方法としては、アドレス検出手段１８によってディスク上に記録されたアドレス情報を検出し、このアドレスに基づいて、層移動検出手段１９で、現在どちらの層にいるか判別する方法が最も容易かつ確実である。また従来例における図１０（Ｃ）の説明でも述べたように、通常、層によって反射率が異なるために層によって反射光量の振幅も異なる。これをディスク再生の起動時に学習し、反射光量の振幅によって層の判別を行うことも可能である。また実施の形態１における図５のth1のように、フォーカス誤差信号を所定の比較値と比較し、フォーカス誤差信号が比較値を越えた回数やその履歴を計数して、何層分移動したかを検出する方法も可能である。このように、層の移動検出にはさまざまな方法が考えられるが、何れにしても層の移動を検出することによって光ビームの強度を低下させることが本発明の実施の形態３の要点であり、これにより、層の移動をフォーカス誤差信号や反射光量で検出できなかった場合も、速やかに光強度を低下させ、誤記録或いは誤消去を防止するものである。
【００４３】
以上のように本発明の実施の形態３による光ディスク装置によれば、２層の情報面を有する光ディスクに信号を記録する場合に、外乱振動やディスクの物理的な欠陥などによりフォーカス制御が乱れ、光ビームが追従する情報面が比較的短時間の間に他の層に移動し、これがフォーカス誤差信号や反射光量で検出できない場合でも、誤記録や誤消去を防止する事ができる。
【００４４】
（実施の形態４）
次に本発明の実施の形態４による光ディスク装置について説明する。
【００４５】
図４は、本発明の実施の形態４による光ディスク装置の概略構成を示すブロック図である。
【００４６】
図４において、符号１〜１２及び１５のブロックは従来の技術を用いた光ディスク装置の説明で用いた図７と同様であるので説明を省略する。２０は、光ビームの焦点が追従する情報面を他の層へ移動させるための層移動制御手段、２１はフォーカス制御手段８の出力と層移動制御手段２０の出力を選択して出力する選択手段、２２は選択手段２１と層移動制御手段２０と光強度制御手段４とを制御するコントローラである。
【００４７】
以上のように構成された本発明の実施の形態４について、以下その動作を説明する。
【００４８】
２層にわたって信号を記録する場合、記録動作中に光ビームの焦点が追従する情報面の層を移動させる必要がある。しかし従来例で説明したように、記録動作中に層移動を行うと、層移動が完了して光ビームの目標トラックへの追従が完了するまでの間に、本来記録すべきでは無い領域のトラックに対して誤記録或いは誤消去する恐れがある。
【００４９】
そのため、まずコントローラ２２で光強度制御手段４に対して光強度低下指令信号を送り、光ビームの強度を再生用の強度まで低下させる。この時ディスク１からの反射光量も低下し、フォーカス制御系やトラッキング制御系のゲインも低下するので、必要に応じて制御系のゲインを上げる必要がある。その後、コントローラ２２は選択手段２１に対して層移動制御手段２０の出力を選択するように制御し、従来例において図１１を用いて説明したような方法で層の移動を行う。層の移動が完了したら、コントローラ２２は選択手段２１に対してフォーカス制御手段８の出力を選択するよう制御してフォーカス制御ループを閉じ、更に光ビームの焦点が目標とするアドレスのトラックに対して引き込みを完了した後に、再び光強度制御手段４に対して光ビームの強度を記録可能なレベルまで上げるよう制御を行う。これらの動作により、移動先の層の目標トラックに対する光ビーム焦点の追従が完了するまで、再生用の光強度とするので、フォーカス制御やトラッキング制御の引き込みの安定性に拠らず、本来記録すべきでない領域に対する誤記録や誤消去の恐れが無い。
【００５０】
以上のように本発明の実施の形態４による光ディスク装置によれば、光ビームの強度を光ディスクに情報を記録できないレベルまで低下させた後に、層移動制御手段２０によって光ビームが追従する情報面を他の層へ移動させる事により、複数の層にわたって信号を記録する場合に、本来記録すべきでないディスク上の領域に対する誤記録や誤消去を防止する事ができる。
【００５１】
なお、本発明の実施の形態１〜４において、誤記録や誤消去を防ぐために、光強度を再生用のレベルまで低下させるとしたが、実質的にレーザーを消灯しても良い。
【００５２】
また、本発明の実施の形態１〜４において、第１の情報面（図１０のａ：光ビームを照射する方向から見て遠い方）に記録している場合に、第２の情報面（図１０のｂ：光ビームを照射する方向から見て近い方）に対する誤記録或いは誤消去を問題としたが、第２の情報面に記録している場合の第１の情報面に対する誤記録或いは誤消去の問題に関しでも同様である。
【００５３】
また、本発明の実施の形態１〜４において、説明を容易にするため２層構造のディスクとしたが、３層、４層など、複数層であれば何層であっても本発明の趣旨に何ら変わりは無い。
【００５４】
【発明の効果】
以上のように、本発明の光ディスク装置は、フォーカス監視手段を備えることで、複数層の情報面を有する光ディスクに信号を記録する際に、外乱振動やディスクの物理的欠陥等によって記録動作中にフォーカス制御が乱れた場合に、記録中の情報面と異なる他の層の情報面に対する誤記録や誤消去を防ぐことができる。
【００５５】
また、本発明の光ディスク装置は、反射光量監視手段を備えることで、外乱振動やディスクの物理的欠陥等によって記録動作中にフォーカス制御が乱れ、これがフォーカス誤差信号で検出ができなかった場合でも、記録中の情報面と異なる他の層の情報面に対する誤記録や誤消去を防ぐことができる。
【００５６】
また、本発明の光ディスク装置は、層移動検出手段を備えることで、複数層の情報面を有する光ディスクに信号を記録する場合に、外乱振動やディスクの物理的な欠陥などによりフォーカス制御が乱れ、光ビームが追従する情報面が比較的短時間の間に他の層に移動し、これがフォーカス誤差信号や反射光量で検出できない場合でも、誤記録や誤消去を防止する事ができる。
【００５７】
また、本発明の光ディスク装置は、層移動制御手段を備えることで、複数の層にわたって信号を記録する場合に、本来記録すべきでないディスク上の領域に対する誤記録や誤消去を防止する事ができる。
【図面の簡単な説明】
【図１】本発明の実施の形態１による光ディスク装置の主要構成部を示すブロック図
【図２】同実施の形態２による光ディスク装置の主要構成を示すブロック図
【図３】同実施の形態３による光ディスク装置の主要構成部を示すブロック図
【図４】同実施の形態４による光ディスク装置の主要構成部を示すブロック図
【図５】同実施の形態１による光ディスク装置の動作を示す波形図
【図６】同実施の形態２による光ディスク装置の動作を示す波形図
【図７】従来の光ディスク装置の主要構成を示すブロック図
【図８】同光ディスク装置におけるトラックと信号の関係を示す模式図
【図９】同光ディスク装置の動作を示す波形図
【図１０】同光ディスク装置の動作を示す模式図
【図１１】同光ディスク装置の動作を示す波形図
【符号の説明】
１  光ディスク
２  モータ
３  光ピックアップ
４  光強度制御手段
５  フォーカスアクチュエータ
６  トラッキングアクチュエータ
７  フォーカス誤差信号検出手段
８  フォーカス制御手段
９、１２  駆動手段
１０  トラッキング誤差信号検出手段
１１  トラッキング制御手段
１５  トラッキング監視手段
１６  フォーカス監視手段
１７  反射光量監視手段
１８  アドレス検出手段
１９  層移動検出手段
２０  層移動制御手段
２１  選択手段
２２  コントローラ
【図１】
0003719075.tif 000002
【図２】
0003719075.tif 000003
【図３】
0003719075.tif 000004
【図４】
0003719075.tif 000005
【図５】
0003719075.tif 000006
【図６】
0003719075.tif 000007
【図７】
0003719075.tif 000008
【図８】
0003719075.tif 000009
【図９】
0003719075.tif 000010
【図１０】
0003719075.tif 000011
【図１１】
0003719075.tif 000012